(57)【要約】【課題】画像処理装置に操作装置が接続されたときに、操作装置のハードキーに対し、画像処理装置の状態に応じた機能の割り当てを可能にする。【解決手段】画像処理装置は汎用操作デバイスが接続されたとき、汎用操作デバイスが備えているハードキー（ここではHOMEキー、BACKキー、MENUキー）を示すキー情報を取得し、画像処理装置の管理状態に応じた機能を割り当てたハードキー制御管理表を作成し、汎用操作デバイスに渡す。図では、ジョブ未実行の設定中にHOMEキーを押下するとジョブを実行する動作を行い、BACKキーを押下するとジョブをキャンセルする動作を行うように、それらのキーの機能が割り当てられている。【選択図】図４
2014032470.tif 000002
【特許請求の範囲】
【請求項１】
画像処理装置と、該画像処理装置と通信可能に接続される操作装置とを有する画像処理システムであって、
前記画像処理装置は、前記操作装置から前記操作装置が備えているハードキーを示すキー情報を取得するキー情報取得手段と、前記取得したキー情報に基づいて、自装置の状態に応じた所定の機能を前記ハードキーに割り当てる割り当て手段と、前記割り当ての結果を前記操作装置に通知する通知手段と、を備え、
前記操作装置は、前記画像処理装置に前記キー情報を送信する手段と、前記画像処理装置から通知された割り当ての結果を表示する手段と、を備える
画像処理システム。
【請求項２】
請求項１に記載された画像処理システムにおいて、
前記表示する手段により表示されている割り当ての結果をユーザの指示を基に変更する手段と、変更された割り当ての結果を設定する手段と、を備える画像処理システム。
【請求項３】
請求項１に記載された画像処理システムにおいて、
前記操作装置は、ハードキーに対応する発光手段を備え、前記画像処理装置は、前記発光手段の発光色を割り当てる発光色割り当て手段を備える画像処理システム。
【請求項４】
請求項１に記載された画像処理システムにおいて、
前記割り当て手段は、時刻に応じた割り当てを行う画像処理システム。
【請求項５】
操作装置と通信可能に接続される画像処理装置であって、
前記操作装置から前記操作装置が備えているハードキーを示すキー情報を取得するキー情報取得手段と、前記取得したキー情報に基づいて、自装置の状態に応じた所定の機能を前記ハードキーに割り当てる割り当て手段と、前記割り当ての結果を前記操作装置に通知する通知手段と、を備える画像処理装置。
【請求項６】
操作装置と通信可能に接続される画像処理装置のコンピュータを、前記操作装置から前記操作装置が備えているハードキーを示すキー情報を取得するキー情報取得手段と、前記取得したキー情報に基づいて、自装置の状態に応じた所定の機能を前記ハードキーに割り当てる割り当て手段と、前記割り当ての結果を前記操作装置に通知する通知手段と、して機能させるためのプログラム。
【発明の詳細な説明】
【技術分野】
【０００１】
本発明は画像処理システム、画像処理装置、及びプログラムに関する。
【背景技術】
【０００２】
ＭＦＰ（Multi Function Peripheral）などの画像処理装置において、特定の機能（操作に対する動作、振る舞い）を複数のハードキーに割り当て、操作を容易にする技術は知られている。即ち、特許文献１には、複数のキーを有し、ユーザの操作を受け付ける操作制御部と、データを表示するＬＣＤと、マークアップ言語で記述されたWebページを取得するデータ取得部と、ページデータを表示制御部に表示させるブラウジング部と、取得されたページデータに対する操作を抽出するために、取得されたページデータを解析する解析部と、解析結果に基づいて複数のキーに所定の機能を割り当てる割当部と、複数のキーのうち機能が割り当てられたキーを識別するためのキー識別情報と、該キーに割り当てられた機能を識別するための操作識別情報との組みをＬＣＤに表示させる操作表示追加部とを備えたＭＦＰが記載されている。
【０００３】
また、画像処理装置の状態に応じて、ハードキーの有効／無効を制御する技術も知られている。即ち、特許文献２には、通信インタフェース部と、ユーザインタフェース表示部と、ハードキーを備えたユーザインタフェース入力部と、ウェブサーバからページデータを受け取り、ページデータにもとづいてユーザインタフェース表示部の表示画面を構成し、該表示画面をユーザインタフェース表示部に表示させるウェブブラウザ部と、ページデータに基づいて、ハードキーの操作の有効／無効を判定するデータ解析部と、データ解析部の判定に基づいて、ハードキーの操作の有効／無効を制御するハードキー制御部と、を備える画像処理装置が記載されている。
【０００４】
しかしながら、このような特定の機能を複数のハードキーに割り当て、操作を容易にする技術、或いは特定のハードキーの有効／無効を制御する技術が対象としているハードキーは画像処理装置専用のハードキーであり、汎用操作デバイスのようにハードキーの数が限られている場合には対応できないという問題がある。
【発明の概要】
【発明が解決しようとする課題】
【０００５】
本発明はこのような問題を解決するためになされたものであり、その目的は、画像処理装置に操作装置が接続されたときに、操作装置のハードキーに対し、画像処理装置の状態に応じた機能の割り当てを可能にすることである。
【課題を解決するための手段】
【０００６】
本発明に係る画像処理システムは、画像処理装置と、該画像処理装置と通信可能に接続される操作装置とを有する画像処理システムであって、前記画像処理装置は、前記操作装置から前記操作装置が備えているハードキーを示すキー情報を取得するキー情報取得手段と、前記取得したキー情報に基づいて、自装置の状態に応じた所定の機能を前記ハードキーに割り当てる割り当て手段と、前記割り当ての結果を前記操作装置に通知する通知手段と、を備え、前記操作装置は、前記画像処理装置に前記キー情報を送信する手段と、前記画像処理装置から通知された割り当ての結果を表示する手段と、を備える画像処理システムである。
【発明の効果】
【０００７】
本発明によれば、画像処理装置に操作装置が接続されたときに、操作装置のハードキーに対し、画像処理装置の状態に応じた機能の割り当てが可能になる。
【図面の簡単な説明】
【０００８】
【図１】本発明の実施形態に係る画像処理システムの構成を示す図である。
【図２】本発明の実施形態に係る画像処理システムにおける汎用操作デバイスの正面図である。
【図３】本発明の実施形態に係る画像処理システムにおける画像形成装置が汎用操作デバイスからハードキー情報を取得し、ハードキー制御管理表を通知する手順を示すシーケンス図である。
【図４】本発明の実施形態に係る画像処理システムにおけるハードキー制御管理表の第１の例を示す図である。
【図５】本発明の実施形態に係る画像処理システムにおけるハードキー制御管理表の第２の例を示す図である。
【図６】本発明の実施形態に係る画像処理システムにおけるハードキー制御管理表の割り当て設定画面を示す図である。
【図７】本発明の実施形態に係る画像処理システムにおけるハードキー制御管理表の第３の例の一部及び第４の例の一部を示す図である。
【図８】本発明の実施形態に係る画像処理システムにおける、汎用操作デバイスによる入力指示から画像形成装置による送信終了通知までの手順の前半を示すシーケンス図である。
【図９】本発明の実施形態に係る画像処理システムにおける、汎用操作デバイスによる入力指示から画像形成装置による送信終了通知までの手順の後半を示すシーケンス図である。
【発明を実施するための形態】
【０００９】
以下、本発明の実施形態について図面を参照して説明する。
〈画像処理システムの構成〉
図１は本発明の実施形態に係る画像処理システムの構成を示す図である。この画像処理システムは、画像形成装置100と、汎用操作デバイス200とが、ＵＳＢ及び無線ネットワーク400により通信可能に接続された構成を有する。ここで、画像形成装置100、汎用操作デバイス200が、それぞれ本発明に係る画像処理装置、操作装置である。
【００１０】
画像形成装置100は、システム制御部101、送信制御部102、印刷制御部103、通信制御部104、通信ＩＦ：インタフェース（ＵＳＢ）105、通信ＩＦ（有線ＬＡＮ）106、通信ＩＦ（無線ＬＡＮ）107、スキャナデバイス108、及びプロッタデバイス109を備えている。ここで、システム制御部101、送信制御部102、印刷制御部103、及び通信制御部104は、ソフトウェアにより実現される機能ブロック、即ち画像形成装置100内の図示されていないＣＰＵがＲＯＭなどに記憶されているプログラムをＲＡＭ上で実行することにより実現される手段である。
【００１１】
システム制御部101は画像形成装置100全体の状態の管理を行う。送信制御部102はメール、フォルダ送信等の送信ジョブの管理を行う。印刷制御部103は、スキャナデバイス108、プロッタデバイス109等のデバイスを制御し、印刷ジョブの管理を行う。
【００１２】
通信制御部104は、複数の通信ＩＦ（ここでは、通信ＩＦ（ＵＳＢ）105、通信ＩＦ（有線ＬＡＮ）106、通信ＩＦ（無線ＬＡＮ）107）と、システム制御部101、送信制御部102、印刷制御部103との間のデータの転送を制御する。
【００１３】
通信ＩＦ（ＵＳＢ）105と汎用操作デバイス200の通信ＩＦ（ＵＳＢ）205との間はＵＳＢケーブルが着脱自在に接続され、通信ＩＦ（有線ＬＡＮ）106はＬＡＮ300に接続される。また、通信ＩＦ（無線ＬＡＮ）107は無線ネットワーク400に接続される。
【００１４】
ここでは、通信ＩＦとして、ＵＳＢ、有線ＬＡＮ、及び無線ＬＡＮに対応するものを図示したが、Bluetooth（登録商標）、ＩｒＤＡ等に対応する通信ＩＦを設けることもできる。
【００１５】
スキャナデバイス108は原稿などの画像を読み取り、画像データを生成する手段であり、プロッタデバイス109は画像データに基づいて、用紙などに画像を印刷する手段である。
【００１６】
汎用操作デバイス200は、操作設定表示部201、画像形成装置制御部202、操作デバイス制御部203、通信制御部204、通信ＩＦ（ＵＳＢ）205、及び通信ＩＦ（無線ＬＡＮ）206を備えている。ここで、通信ＩＦ（ＵＳＢ）205、及び通信ＩＦ（無線ＬＡＮ）206以外はソフトウェアにより実現される機能ブロック、即ち汎用操作デバイス200内の図示されていないＣＰＵがＲＯＭなどに記憶されているプログラムをＲＡＭ上で実行することにより実現される手段である。汎用操作デバイス200は、スマートフォンのような携帯情報端末により構成することができる。
【００１７】
操作設定表示部201は、ユーザインタフェースを持ち、ユーザからの設定入力及びユーザに対する表示などを行う。画像形成装置制御部202は、接続された画像形成装置（ここでは画像形成装置100）に対する各種実行指示と状態の管理を行う。操作デバイス制御部203は、この汎用操作デバイス200の制御を行う。
【００１８】
通信制御部204は、複数の通信ＩＦ（ここでは、通信ＩＦ（ＵＳＢ）205、通信ＩＦ（無線ＬＡＮ）206）と操作デバイス制御部203との間のデータの転送を制御する。通信ＩＦ（ＵＳＢ）205は、画像形成装置100の通信ＩＦ（ＵＳＢ）105と接続され、通信ＩＦ（無線ＬＡＮ）206は無線ネットワーク400に接続される。Bluetooth（登録商標）、ＩｒＤＡ等に対応する通信ＩＦを設けることもできる。
【００１９】
〈汎用操作デバイスのハードキー〉
図２は汎用操作デバイス200の正面図である。図２Ａに示す第１の汎用操作デバイス200-1では、表示部211の下方にMENUキー212、HOMEキー213、及びBACKキー214からなる３つのハードキーが配置されている。また、図２Ｂに示す第２の汎用操作デバイス200-2では、表示部221の下方にHOMEキー222が配置されている。
【００２０】
〈画像形成装置によるハードキー情報の取得及びハードキー制御管理表の通知〉
図３は、画像形成装置100が汎用操作デバイス200からハードキー情報を取得し、ハードキー制御管理表を通知する手順を示すシーケンス図である。
【００２１】
汎用操作デバイス200が画像形成装置100に接続され、図示のように、起動処理（手順Ｓ100）が完了し、互いに通信可能な状態となる。ここでは、通信ＩＦ（ＵＳＢ）205と通信ＩＦ（ＵＳＢ）105との間で通信可能な状態になっているものとしたが、通信ＩＦ（無線ＬＡＮ）206と通信ＩＦ（無線ＬＡＮ）107との間で通信可能な状態にすることもできる。
【００２２】
まず画像形成装置100のシステム制御部101は、ハードキー確認通知を作成し、通信制御部104へ送る（手順Ｓ1）。ハードキー確認通知は、通信制御部104から通信ＩＦ（ＵＳＢ）105を経由して汎用操作デバイス200の通信ＩＦ（ＵＳＢ）205へ送られる（手順Ｓ2、Ｓ3）。汎用操作デバイス200では、ハードキー確認通知が、通信ＩＦ（ＵＳＢ）205から通信制御部204を経由して操作デバイス制御部203へ送られる（手順Ｓ4、Ｓ5）。
【００２３】
ハードキー確認通知を受け取った操作デバイス制御部203は、ハードキー結果通知を作成して通信制御部204へ送る（手順Ｓ6）。ハードキー結果通知には、ハードキー情報（図２Ａに示す第１の汎用操作デバイス200-1の場合、MENU、HOME、BACK）が含まれている。
【００２４】
ハードキー結果通知は、通信制御部204から通信ＩＦ（ＵＳＢ）205を経由して画像形成装置100の通信ＩＦ（ＵＳＢ）105へ送られる（手順Ｓ7、Ｓ8）。画像形成装置100では、ハードキー結果通知が、通信ＩＦ（ＵＳＢ）105から通信制御部104を経由してシステム制御部101へ送られる（手順Ｓ9、Ｓ10）。
【００２５】
システム制御部101はハードキー結果通知を受け取り、そこに含まれているハードキー情報を取得する。ハードキー情報を取得したシステム制御部101は、ハードキー制御管理表を作成し、画像形成装置100内のメモリ（ＲＡＭ）に記憶する（手順Ｓ11）。ハードキー制御管理表の内容については後述する。次にシステム制御部101は、ハードキー制御管理表結果通知を作成して通信制御部104へ送る（手順Ｓ12）。
【００２６】
ハードキー制御管理表結果通知は、通信制御部104から通信ＩＦ（ＵＳＢ）105を経由して汎用操作デバイス200の通信ＩＦ（ＵＳＢ）205へ送られる（手順Ｓ13、Ｓ14）。汎用操作デバイス200では、ハードキー制御管理表結果通知が、通信ＩＦ（ＵＳＢ）205から通信制御部204を経由して画像形成装置制御部202へ送られる（手順Ｓ15、Ｓ16）。画像形成装置制御部202は、受け取ったハードキー制御管理表結果通知に含まれているハードキー制御管理表を汎用操作デバイス200内のメモリ（ＲＡＭ）に記憶する。また、操作設定表示部201に渡すことで、ハードキーに対する機能の割り当ての結果をユーザに知らせる。
【００２７】
〈ハードキー制御管理表〉
《ハードキー制御管理表の第１の例》
図４はハードキー制御管理表の第１の例を示す図である。図示のように、ハードキー管理表には、「管理状態」として、「ジョブ未実行」と「ジョブ実行中」があり、「ハードキー割り当て」として、「ハードキー」と「動作（振る舞い）」がある。
【００２８】
「ジョブ未実行」における「無操作中」とは、ジョブ実行前に一定時間、汎用操作デバイス200の操作が行われていない状態を意味する。「無操作中」に「ハードキー」としてHOMEキー213を押下すると、省エネモードに移行する動作を行う。
【００２９】
「ジョブ未実行」における「設定中」とは、ユーザが汎用操作デバイス200からジョブ実行のための設定を行っている状態を意味する。「設定中」に「ハードキー」としてHOMEキー213を押下すると、ジョブを実行する動作を行う。また、BACKキー214を押下すると、設定をキャンセルする動作を行い、MENUキー212を押下すると、設定を確定する動作を行う。
【００３０】
「ジョブ実行中」における「停止中」とはジョブが停止している状態を意味する。「停止中」には、「ユーザ指示で停止」と、「エラーで停止」とがあり、後者には、エラーが回避不可能な場合と回避可能な場合とがある。ユーザ指示で停止しているときに、HOMEキー213を押下すると、ジョブを再開する動作を行う。エラーで停止しているときは、エラーの内容により異なる。即ち、回避不可能なエラーの場合は、HOMEキー213を押下すると、ジョブをキャンセルする動作を行い、回避可能なエラーの場合は、HOMEキー213を押下しても何も行わない。
【００３１】
「ジョブ実行中」における「動作中」とはジョブが実行されている状態を意味する。この状態でHOMEキー213を押下すると、実行中のジョブを停止させる。この結果、「ジョブ実行中」における「停止中：ユーザ指示で停止」に移行する。
【００３２】
《ハードキー制御管理表の第２の例》
図５はハードキー制御管理表の第２の例を示す図である。図示のように、ハードキー管理表には、「管理状態」として、「ジョブ未実行」と「ジョブ実行中」があり、「ハードキー割り当て」として、「ハードキー」と「動作」と「ＬＥＤ色」がある。
【００３３】
つまり、このハードキー制御管理表は、図４に示すハードキー制御管理表の第１の例に対して、「ＬＥＤ色」を付加したものである。「ＬＥＤ色」は、MENUキー212、HOMEキー213、BACKキー214に設けられているＬＥＤをこの表に設定されている色で点灯させることを意味する。この結果、各ハードキーに割り当てた機能についてのユーザに対するアナウンスをより明確にすることができる。「動作」に対応する音声を汎用操作デバイス200のスピーカから出力するように、「ハードキー割り当て」に「音声」を付加することもできる。また、「動作」として、「ログアウト」や「電源OFF」を設けることもできる。
【００３４】
〈ハードキー制御管理表の割り当て設定〉
図３に示すシーケンス図では、図４及び図５に示すようなハードキー制御管理表は、画像形成装置100のシステム制御部101がデフォルトの設定で作成する。本実施形態では、このデフォルトの設定をユーザが変更することができる。
【００３５】
図６はハードキー制御管理表の割り当て設定画面を示す図である。この割り当て設定画面は、汎用操作デバイス200の初期設定、即ち図３における手順Ｓ16が終了したときに実行することが好適である。
【００３６】
汎用操作デバイス200として、第１の汎用操作デバイス200-1を使用した場合、表示部211に図６に示すハードキー割り当て設定画面215を表示する。ハードキー割り当て設定画面215には、デフォルトのハードキー制御管理表216が表示される。ユーザはこの画面を見ながら、MENUキー212、HOMEキー213、BACKキー214を操作することで、所望のハードキー割り当てを行うことができる。この場合、各ハードキーを押下したときの「動作」は、「ジョブ未実行」における「設定中」の「動作」となる。所望のハードキー割り当ての結果は、画像形成装置100のシステム制御部101に通知される。システム制御部101は、通知されたハードキー割り当ての結果を画像形成装置100内のメモリ（ＲＡＭ）に記憶する。
【００３７】
なお、ここでは、汎用操作デバイス200にハードキー割り当て設定画面を表示する場合について説明したが、ハードキー割り当て設定画面を画像形成装置100のオペレーションパネル（図示せず）に表示する構成も可能である。
【００３８】
《ハードキー制御管理表の第３の例及び第４の例》
図７は本発明の実施形態に係る画像処理システムにおけるハードキー制御管理表の第３の例の一部及び第４の例の一部を示す図である。ここで、図７Ａは第３の例、図７Ｂは第４の例である。
【００３９】
図７Ａは、図４に示されているハードキー制御管理表において、平日の１８時以後は「無操作中」のHOMEキーの割り当ての「動作」を「省エネ移行」から「電源OFF」に変更したものである。従って、平日の１８時以後は、「無操作中」に「ハードキー」としてHOMEキー213を押下すると、電源OFFに移行する「動作」を行うことになる。
【００４０】
図７Ｂは、図４に示されているハードキー制御管理表において、「無操作中」が１０分経過した場合、HOMEキーの割り当ての「動作」を「省エネ移行」から「電源OFF」に変更したものである。従って、「無操作中」が１０分経過した後にHOMEキー213を押下すると、電源OFFに移行する「動作」を行うことになる。
【００４１】
〈汎用操作デバイスにおける入力指示から画像形成装置による画像送信までの手順〉
図８、図９は、それぞれ汎用操作デバイス200における入力指示から画像形成装置１００による送信終了通知までの手順の前半、後半（ただし前半の末尾と後半の先頭が重複）を示すシーケンス図である。この手順は、図３に示す手順Ｓ100、及びＳ1〜Ｓ16が終了した後に実行される。
【００４２】
図８に示すように、ユーザが汎用操作デバイス200を用いて、操作設定表示部201に対しジョブ設定を入力する（手順Ｓ21）。ジョブ設定とは、コピージョブの場合は部数などの印刷設定のことであり、スキャンジョブの場合は解像度などの読み取り設定のことであり、送信ジョブの場合は宛先などの送信設定である。操作設定表示部201は、ジョブ設定を画像形成装置制御部202へ送る（手順Ｓ22）。
【００４３】
次にユーザが汎用操作デバイス200を用いて、操作設定表示部201に対し実行指示を入力する（手順Ｓ23）。操作設定表示部201は、実行指示を画像形成装置制御部202へ送る（手順Ｓ24）。画像形成装置制御部202は、受け取った実行指示及びジョブ設定を保持する（手順Ｓ25）。
【００４４】
画像形成装置制御部202は、通信制御部204に対し、実行指示及びジョブ設定を送る（手順Ｓ26）。通信制御部204は、受け取ったジョブ設定を基にデータ通信路を判定し（手順Ｓ27）、判定結果に基づいて、通信ＩＦ（ＵＳＢ）205に実行指示及びジョブ設定を送る（手順Ｓ28）。
【００４５】
通信ＩＦ（ＵＳＢ）205は、画像形成装置100の通信ＩＦ（ＵＳＢ）105に対し、指示データ（実行指示及びジョブ設定）を送信する（手順Ｓ29）。画像形成装置100では、実行指示及びジョブ設定が、通信制御部104を経由して送信制御部102へ送られる（手順Ｓ30、Ｓ31）。
【００４６】
実行指示及びジョブ設定を受け取った送信制御部102は、スキャナデバイス108に対し、読み取り指示を送る（手順Ｓ32）。スキャナデバイス108は、読み取り指示に従って画像を読み取り、読み取り結果を送信制御部102へ送る（手順Ｓ33）。
【００４７】
以下、図９を参照する。送信制御部102は、１頁目の画像通知、即ち１頁目の画像データを通信制御部104へ送り（手順Ｓ34）、次に読み取り終了の状態通知を作成して、通信制御部104へ送る（手順Ｓ35）。通信制御部104は読み取り終了の状態通知を通信ＩＦ（ＵＳＢ）105へ送る（手順Ｓ36）。通信ＩＦ（ＵＳＢ）105は状態データ（読み取り終了の状態通知）を汎用操作デバイス200の通信ＩＦ（ＵＳＢ）205へ送信する（手順Ｓ37）。
【００４８】
汎用操作デバイス200では、読み取り終了の状態通知が、通信ＩＦ（ＵＳＢ）205から通信制御部204及び画像形成装置制御部202を経由して操作設定表示部201へ送られる（手順Ｓ38、Ｓ39、Ｓ40）。そして、操作設定表示部201により、読み取り終了がユーザに通知される（手順Ｓ41）。
【００４９】
送信制御部102は送信処理（手順Ｓ42）が終了すると、送信終了の状態通知を作成して、通信制御部104へ送る（手順Ｓ43）。通信制御部104は送信終了の状態通知を通信ＩＦ（ＵＳＢ）105へ送る（手順Ｓ44）。通信ＩＦ（ＵＳＢ）105は状態データ（送信終了の状態通知）を汎用操作デバイス200の通信ＩＦ（ＵＳＢ）205へ送信する（手順Ｓ45）。
【００５０】
汎用操作デバイス200では、送信終了の状態通知が、通信ＩＦ（ＵＳＢ）205から通信制御部204及び画像形成装置制御部202を経由して操作設定表示部201へ送られる（手順Ｓ46、Ｓ47、Ｓ48）。そして、操作設定表示部201により、送信終了がユーザに通知される（手順Ｓ49）。
【００５１】
このように、画像形成装置100では、ジョブの実行状態が変化する度に、汎用操作デバイス200に状態データを送信し、汎用操作デバイス200は状態データに基づいてジョブの進捗状況を表示する。
【符号の説明】
【００５２】
100…画像形成装置、101…システム制御部、104，204…通信制御部、200…汎用操作デバイス、201…操作設定表示部、202…画像形成装置制御部。
【先行技術文献】
【特許文献】
【００５３】
【特許文献１】特開２０１０−３１０１号公報
【特許文献２】特開２０１０−５７００９号公報
【図１】
2014032470.tif 000003
【図２】
2014032470.tif 000004
【図３】
2014032470.tif 000005
【図４】
2014032470.tif 000006
【図５】
2014032470.tif 000007
【図６】
2014032470.tif 000008
【図７】
2014032470.tif 000009
【図８】
2014032470.tif 000010
【図９】
2014032470.tif 000011